【手続補正書】
【提出日】平成28年7月12日(2016.7.12)
【手続補正１】
【補正対象書類名】明細書
【補正対象項目名】０００７
【補正方法】変更
【補正の内容】
【０００７】
（１）本発明に係る画像表示装置は、予め設定された複数の観察領域からそれぞれ観察可能な画像を画像表示面に表示する画像表示装置であって、複数の観察領域にそれぞれ対応して設けられ、画像表示面に向かうように複数の光線からなる光線群をそれぞれ出射する複数の光線発生器と、画像表示面に設けられ、複数の光線発生器から出射される複数の光線群を反射する反射手段と、画像表示面に設けられ、反射手段により反射される各光線を拡散させる拡散手段と、複数の光線発生器を制御する制御部とを備え、反射手段は、各光線発生器から出射される光線群を対応する観察領域に向けて反射し、拡散手段は、各観察領域において横に並ぶ複数の観察者が画像表示面上に表示された画像を同時に観察可能なように各光線を一定の角度範囲に拡散させ、制御部は、複数の観察領域においてそれぞれ異なる画像が観察されるように複数の光線発生器を制御する。
【手続補正２】
【補正対象書類名】明細書
【補正対象項目名】００１２
【補正方法】変更
【補正の内容】
【００１２】
（２）反射手段は、再帰性反射材を含み、拡散手段は、再帰性反射材により反射される各光線を一定の角度範囲に拡散させてもよい。
【手続補正３】
【補正対象書類名】明細書
【補正対象項目名】００６５
【補正方法】変更
【補正の内容】
【００６５】
図６（ｃ）の再帰性反射要素１ａにおいては、反射層１２の反射面１２ａ上に拡散層１３が設けられるのではなく、反射面１２ａが取り囲む空間を覆うように、板状またはシート状の拡散層１３が設けられる。本例においても、各プロジェクタ２から出射された光線が、反射面１２ａにより反射されるとともに拡散層１３により拡散され、対応する観察領域５２ａに帰還する。ただし、本例では、図６（ａ）および図６（ｂ）の例に比べて、光線が広範囲に拡散されやすい。そのため、対応する観察領域５２ａに光線が帰還するように、拡散層１３の拡散性能および反射面１２ａの形状等を精度良く調整する必要がある。本例においては、複数の再帰性反射要素１ａに対して一枚の拡散層１３を用いることが可能であるので、さらなる製造の簡略化が可能となる。
【手続補正４】
【補正対象書類名】明細書
【補正対象項目名】００９１
【補正方法】変更
【補正の内容】
【００９１】
（６）制御系
図１１は、画像表示装置１００の制御系について説明するためのブロック図である。図１１に示すように、画像表示装置１００は、制御部１５０および記憶部１６０を含む。制御部１５０は、例えば汎用計算機または組み込み機器等からなり、複数の観察領域５２ａ（図２）においてそれぞれ異なる画像が観察されるように、複数のプロジェクタ２を制御する。
【手続補正５】
【補正対象書類名】明細書
【補正対象項目名】００９６
【補正方法】変更
【補正の内容】
【００９６】
（７）効果
本実施の形態に係る画像表示装置１００においては、各プロジェクタ２から出射された光線群が、フィールド５１上に設けられた反射部１によって対応する観察領域５２ａに向けて反射および拡散される。これにより、各観察領域５２ａからフィールド５１上に表示された画像を観察することができる。
【手続補正６】
【補正対象書類名】明細書
【補正対象項目名】０１１５
【補正方法】変更
【補正の内容】
【０１１５】
請求項の各構成要素として、請求項に記載されている構成または機能を有する他の種々の要素を用いることもできる。
［６］参考形態
参考形態における画像表示装置は、予め設定された複数の観察領域からそれぞれ観察可能な画像を画像表示面に表示する画像表示装置であって、複数の観察領域にそれぞれ対応して設けられ、画像表示面に向かうように複数の光線からなる光線群をそれぞれ出射する複数の光線発生器と、画像表示面に設けられ、複数の光線発生器から出射される複数の光線群を反射する反射手段と、複数の光線発生器を制御する制御部とを備え、反射手段は、各観察領域において複数の観察者が画像表示面上に表示された画像を同時に観察可能なように、各光線発生器から出射される光線群を対応する観察領域に向けて反射し、制御部は、複数の観察領域においてそれぞれ異なる画像が観察されるように複数の光線発生器を制御する。
この画像表示装置においては、複数の光線発生器から画像表示面に向かうように複数の光線群がそれぞれ出射される。各光線発生器から出射された光線群は、画像表示面に設けられた反射手段によって対応する観察領域に向けて反射される。これにより、各観察領域から観察可能な画像が画像表示面上に表示される。
この場合、各観察領域において複数の観察者が共通の画像を同時に観察することができるように、反射手段が各光線群を反射する。そのため、必要となる光線発生器の数が観察者の数よりも少ない。また、各観察者が光線発生器を装着する必要もない。
また、複数の観察領域においてそれぞれ異なる画像が観察されるように、複数の光線発生器が制御される。それにより、観察領域毎にその観察領域に応じた画像を観察することができる。
これらの結果、各観察者に身体的負担を強いることなく、コストの増大を抑制し、かつ複数の観察領域からの異なる画像の観察および各観察領域での複数の観察者による共通の画像の観察が可能となる。
反射手段は、再帰性反射材を含み、画像表示装置は、再帰性反射材により反射される各光線を一定の角度範囲に拡散させる拡散手段をさらに備えてもよい。
この場合、各光線発生器から出射される光線群が、再帰性反射材によって反射されかつ拡散手段によって拡散され、対応する観察領域に帰還する。それにより、簡単な構成で、各観察領域において複数の観察者が共通の画像を同時に観察することができる。
【手続補正７】
【補正対象書類名】特許請求の範囲
【補正対象項目名】全文
【補正方法】変更
【補正の内容】
【特許請求の範囲】
【請求項１】
予め設定された複数の観察領域からそれぞれ観察可能な画像を画像表示面に表示する画像表示装置であって、
前記複数の観察領域にそれぞれ対応して設けられ、前記画像表示面に向かうように複数の光線からなる光線群をそれぞれ出射する複数の光線発生器と、
前記画像表示面に設けられ、前記複数の光線発生器から出射される複数の光線群を反射する反射手段と、
前記画像表示面に設けられ、前記反射手段により反射される各光線を拡散させる拡散手段と、
前記複数の光線発生器を制御する制御部とを備え、
前記反射手段は、各光線発生器から出射される光線群を対応する観察領域に向けて反射し、
前記拡散手段は、各観察領域において横に並ぶ複数の観察者が前記画像表示面上に表示された画像を同時に観察可能なように各光線を一定の角度範囲に拡散させ、
前記制御部は、前記複数の観察領域においてそれぞれ異なる画像が観察されるように前記複数の光線発生器を制御する、画像表示装置。
【請求項２】
前記反射手段は、再帰性反射材を含み、
前記拡散手段は、前記再帰性反射材により反射される各光線を一定の角度範囲に拡散させる、請求項１記載の画像表示装置。
【請求項３】
前記再帰性反射材は、前記画像表示面上に配列されかつそれぞれ反射面を有する複数の再帰性反射要素を含む、請求項２記載の画像表示装置。
【請求項４】
前記反射手段は、
前記複数の光線発生器から出射される複数の光線群を反射する反射面と、
前記反射面により反射された複数の光線群をそれぞれ対応する観察領域に集光するレンズとを含む、請求項１記載の画像表示装置。
【請求項５】
前記異なる画像は、共通の３次元コンテンツがそれぞれ前記複数の観察領域から観察された場合に対応する複数の２次元画像を含む、請求項１〜４のいずれか一項に記載の画像表示装置。
【請求項６】
前記複数の観察領域は、スタジアムの観客席に設定され、前記画像表示面は、前記スタジアムの水平なフィールドであり、前記共通の３次元コンテンツは、周囲から多人数が観察する対象である、請求項５記載の画像表示装置。